(57)【要約】  【課題】  就寝者の体動を検知すると共に、検知した体動から睡眠段階を判定し、睡眠段階に応じた就寝時空調制御機能を有する空気調和機において、室内機と就寝者の位置関係や、就寝者の寝具や睡眠体勢、寝相に関係なく正確に体動を検知する。また、空調制御を行うだけでなく、睡眠環境にも応じたきめ細やかな制御で利用者に利便性の良い空気調和機を提供する。【解決手段】電波を用いた無線式リモートコントローラに体動検出部を備えることにより、正確な体動検知を可能とし、同無線式リモートコントローラと室内機との双方向通信により、空気調和機は室外機と室内機と無線式リモコンとで検出可能な睡眠環境に関するパラメータを収集し、これらパラメータが所定条件に該当する場合には、利用者に対する睡眠環境にも応じた制御を実行する。【選択図】図２
2013160473.tif 000002
【特許請求の範囲】
【請求項１】
電波を用いた無線式リモートコントローラと、同無線式リモートコントローラとの通信機能を有する室内機とを備えた空気調和機であって、
前記空気調和機は、就寝者の体動から睡眠段階を判定する睡眠段階判定手段と、前記睡眠段階に基づいて睡眠時空調制御の方法を決定する空調制御手段とを備え、
前記就寝者の体動を検出する体動検出部または外部体動検出装置で検出した前記就寝者の体動の信号を入力する体動検出信号入力部を前記無線式リモートコントローラに備えていることを特徴とする空気調和機。
【請求項２】
前記無線式リモートコントローラは、就寝者の寝具内温度を検出する寝具内温度検出部と、就寝者の寝具内湿度を検出する寝具内湿度検出部と、表示部とを備え、
前記室内機は、室温を検出する室温検出部と、室内機制御部とを備え、
前記空気調和機は前記室内機と、前記無線式リモートコントローラと、外気温を検出する外気温検出部と、利用者の睡眠環境に関する情報利用を支援する環境情報利用手段とを備え、
前記環境情報利用手段は、前記睡眠段階判定手段による睡眠段階判定毎または前記就寝時空調制御の所定時間毎に、前記寝具内温度と、前記寝具内湿度と、前記室温と、前記外気温との少なくとも１つ以上を検出し、これらの検出値と、同検出値が所定条件と一致した場合には睡眠環境を改善する指標とを、前記表示部に表示することを特徴とする、請求項１の空気調和機。
【発明の詳細な説明】
【技術分野】
【０００１】
本発明は、リモコンを備えた室内機と室外機とで構成される空気調和機に係わり、より詳細には就寝者に快適な睡眠環境を提供する空気調和機に関するものである。
【背景技術】
【０００２】
近年、健康意識が高まる中で、一般の家庭においても日々快適な睡眠を得るために、睡眠環境を制御して睡眠を管理することにより健康管理に努めたいというニーズがある。
空気調和機により快適な睡眠環境になる様に空調制御を行おうとした場合、人は活動状態にある時と睡眠状態にある時で快適と感じる温度や湿度が異なるため、就寝者の睡眠状態を判別しつつ睡眠状態に応じて適切な空調運転を行わなければならないという問題があった。
【０００３】
上記のような問題を解決するために、体動検知手段で検出した人の体動情報によって、入眠から深い睡眠に至る体温の生体リズムに合わせて最適な室温や気流環境を提供する空気調和機の制御装置が提案されている（例えば、特許文献１参照）。
【０００４】
また、最近では体動センサから得た情報を元にして快適な睡眠をサポートする睡眠時専用の体動センサを接続したリモコンが提案されている。
この睡眠時専用リモコンは、体動センサから得た情報を解析し就寝者の睡眠状態に応じて、設定温度や風量などの空調運転指示データを赤外線信号で室内機へ送信するようになっている。
【０００５】
なお、人の睡眠状態はいくつかの段階に区分され、区分された睡眠段階には周期性があることが知られている。この睡眠状態の判定方法として、体動の有無及び大きさから覚醒及び睡眠状態の判定を行う睡眠段階判定手段（例えば、特許文献２参照）や、レム睡眠とノンレム睡眠の睡眠段階で異なる温度の制御を行って、就寝者が安眠できるような空調制御方法（例えば、特許文献３参照）が提案されている。
【先行技術文献】
【特許文献】
【０００６】
【特許文献１】特開２００７−２８５５６２号公報（第２〜４頁、図１，４）
【特許文献２】特許第４５８２６４２号公報（第７〜９頁、図４，７）
【特許文献３】特開２００９−２３６３５２号公報（第７〜１２頁、図４）
【発明の概要】
【発明が解決しようとする課題】
【０００７】
しかしながら、上記特許文献１は、体動検知手段を室内機に備えていることから、ベッドの位置や就寝者の体勢などによっては体動を正確に検知することが出来ない。つまり人は個人差や季節差があるものの就寝時には頭部や首・肩・胸部より下側となる身体を掛け布団などの寝具内に収める体勢をとり、体温調節やリラックス効果を得ることが一般的であり、このように身体の大部分が寝具によって遮られた状態では、全ての体動を正確に検知することが困難となる問題が生じる。
また、睡眠中に室内機から吹出される気流を直接身体に当てたくないと考える利用者の中には、べッドや寝具位置を室内機から遠ざけたり、さまざまな工夫をして空調風を回避できる配置としている場合があり、体動検知の妨げとなることがある。
【０００８】
一方睡眠時専用のリモコンは、体動センサがリモコンに接続されているため室内機側に設けられた体動センサよりも就寝者近傍に配置され、就寝者の体動をより正確に検知することができるが、空調制御を行う室内機との通信方式が赤外線信号であるために、就寝者の体動によって睡眠時専用リモコンが移動されてしまったり、就寝者の身体や使用する寝具によって室内機へ送信される赤外線信号が遮られたりと、意図せず通信不通となる場合があり、睡眠中に通信不通となった時には、室内機はリモコンからの新たな制御指示を受信しないまま以前の空調制御を継続し、睡眠状態に応じた適切な空調制御が行われない虞がある。
また、赤外線による通信方式では、リモコンから室内機への片方向の通信に限られることから、リモコンが指示した空調運転を室内機が受信し正常に空調制御が行われているのか否かを判別することができない。同様に室内機がリモコンから指示された空調制御を行っていたとしても、指示した設定温度に近づいているのか否か、設定温度に到達済みなのか否かを判別することもできないといった問題がある。
【０００９】
また、どちらの装置の場合にも、体動を正確に検知し空調制御が行われた場合には、睡眠段階に応じた空調制御により、一定の快適性を提供することができるが、利用者の睡眠環境に応じた空調制御を行うことができない。つまり睡眠時の快適性に大きく影響するとされる、寝室や寝具内の温湿度といった睡眠環境を考慮した制御を行うことができない。
快眠のニーズには、例えば寝付きを良くしたい、ぐっすり眠りたい、すっきり目覚めたいなどがあり、睡眠状態に応じた空調制御のみではこれらのニーズに幅広く応じることが出来るとは言い難く、睡眠状態に応じた空調制御に加え、睡眠環境にも応じた空調制御で利用者へ快適な睡眠を得るための改善策を提供することも重要である。
【００１０】
本発明は以上述べた問題点を解決し、電波を用いた無線式リモコンに体動検知手段を備えることによって、睡眠段階に応じた空調制御を行うだけでなく、睡眠環境にも応じたきめ細やかな制御と信頼性に優れた空気調和機を提供することを目的とする。
【課題を解決するための手段】
【００１１】
本発明は上述の課題を解決するため、本発明の請求項１に記載の発明は、
電波を用いた無線式リモートコントローラと、同無線式リモートコントローラとの通信機能を有する室内機とを備えた空気調和機であって、
前記空気調和機は、就寝者の体動から睡眠段階を判定する睡眠段階判定手段と、前記睡眠段階に基づいて睡眠時空調制御の方法を決定する空調制御手段とを備え、
前記就寝者の体動を検出する体動検出部または外部体動検出装置で検出した前記就寝者の体動の信号を入力する体動検出信号入力部を前記無線式リモートコントローラに備えていることを特徴とする。
【００１２】
また、本発明の請求項２に記載の発明は、
前記無線式リモートコントローラは、就寝者の寝具内温度を検出する寝具内温度検出部と、就寝者の寝具内湿度を検出する寝具内湿度検出部と、表示部とを備え、
前記室内機は、室温を検出する室温検出部と、室内機制御部とを備え、
前記空気調和機は前記室内機と、前記無線式リモートコントローラと、外気温を検出する外気温検出部と、利用者の睡眠環境に関する情報利用を支援する環境情報利用手段とを備え、
前記環境情報利用手段は、前記睡眠段階判定手段による睡眠段階判定毎または前記就寝時空調制御の所定時間毎に、前記寝具内温度と、前記寝具内湿度と、前記室温と、前記外気温との少なくとも１つ以上を検出し、これらの検出値と、同検出値が所定条件と一致した場合には睡眠環境を改善する指標とを、前記表示部に表示することを特徴とする。
【発明の効果】
【００１３】
以上の手段を用いることにより、本発明による請求項１記載の空気調和機によれば、就寝者の体動を検知する体動検出部を、電波を用いた無線式リモコンに備えることにより、このリモコンを就寝者の近傍に配置することで、就寝者の体動を正確に検知することができる。また、無線式リモコンに対して室内機と室外機から就寝時に必要なパラメータを提供でき、より快適な睡眠をサポートできる。
【００１４】
また、本発明による請求項２記載の空気調和機によれば、電波を用いた無線式リモコンを就寝者の寝具内に設置することで寝具内の温度と湿度を入力し、室内機から室温と室外機で検出した外気温を入力し表示することによって、睡眠環境の状態や状態変化をきめ細かく就寝者及び就寝者に関わる利用者へ通知することができる。さらに就寝者及び就寝者に関わる利用者が睡眠環境のどこに問題があるかを自覚し、睡眠環境を改善することができる。
【図面の簡単な説明】
【００１５】
【図１】本発明による空気調和機を示すブロック図である。
【図２】本発明による実施例１の睡眠環境に関する検出データとそれを基にした各種制御信号の流れを示す説明図である。
【図３】本発明による実施例２の睡眠環境に関する検出データとそれを基にした各種制御信号の流れを示す説明図である。
【図４】本発明の実施例１の無線式リモコン制御部の処理を示すフローチャートである。
【図５】本発明の実施例１と実施例２で共通となる環境情報利用手段のサブルーチン処理を示すフローチャートである。
【図６】本発明の実施例１の室内機制御部の処理を示すフローチャートである。
【図７】本発明の実施例２の室内機制御部の処理を示すフローチャートである。
【図８】本発明の実施例２の無線式リモコン制御部の処理を示すフローチャートである。
【発明を実施するための形態】
【００１６】
以下、本発明の実施の形態を、添付図面に基づいた実施例として詳細に説明する。
なお、本発明は以下の実施形態に限定されることなく、本発明の主旨を逸脱しない範囲で種々変形することが可能である。
【００１７】
図１は、本発明による空気調和機を示すブロック図である。なお、図１には本発明の要部となる構成のみを示しており、本発明と直接関係ない空気調和機に通常備わる各種構成部の図示と説明を省略している。
空気調和機は室内機１０と電波を用いた無線式リモコン２０と室外機３０で構成され、室内機１０は、設置された部屋の室温を検出する室温検出部１１と、無線式リモコン２０との通信を行う室内機無線通信部１２と、室外機３０との通信を行う室内機通信部１３と
、これらを制御する室内機制御部１４とを備えている。
【００１８】
無線式リモコン２０は、利用者が空気調和機へ運転開始や終了と運転情報の変更などの操作を行うキー入力部２１と、就寝者の使用する寝具内に設置された無線式リモコン２０周辺の温度や湿度を検出する寝具内温度検出部２２と寝具内湿度検出部２３と、室内機１０との通信を行うリモコン無線通信部２４と、空気調和機の運転状態などを表示する表示部２５と、無線式リモコン２０の操作音や警告音を出力する音出力部２６と、加速度センサによりベッドの振動を介して就寝者の体動を検出する体動検出部２７と、これらを制御するリモコン制御部２９とを備えている。
【００１９】
室外機３０は、室内機１０との通信を行う室外機通信部３１と、室外機３０が設置された屋外の外気温を検出する外気温検出部３２と、これらを制御する室外機制御部３３とを備えている。
【００２０】
このように構成された空気調和機では、体動センサを室内機１０に設けず、体動を検出する体動検出部２７を無線式リモコン２０に備えることから、就寝者は無線式リモコン２０を就寝者の近傍となる寝具内へ設置するだけで、就寝者と室内機の位置などに関係なく
、就寝者の体動を正確に検知することができる。
また、無線式リモコン２０は、電波によって室内機１０とのデータ送受信が行えるため
、特別な配線や通信手段が不要となり、利便性を向上させることができる。
【００２１】
さらに、無線式リモコン２０の電波によるデータ送受信は障害物の影響を受けにくい特性によって、無線式リモコン２０と室内機１０との間が就寝者の身体や寝具によって遮られたり、体動によって無線式リモコン２０の設置位置が移動されたとしても、体動検出値などのデータを確実に室内機１０へ送信することができる。
また、双方向に通信可能なことから無線式リモコン２０は、室内機１０の就寝時空調制御の状態や、室内機１０から室温検出部１１で検出した室温や、外気温検出部３２で検出した外気温などのデータを受信することや、無線式リモコン２０の体動検出部２７で検出した体動と、寝具内温度検出部２２で検出した寝具内温度と、寝具内湿度検出部２３で検出した寝具内湿度などのデータを室内機１０へ送信することも可能となる。
【００２２】
なお、無線式リモコン２０に備えられる体動検出部２７に代えて、無線式リモコン２０に接続され、焦電型赤外線センサやベットマット型センサなどから就寝者の呼吸、脈拍、体動などを検出する外部体動検出装置４０を利用することも可能である。この場合、外部体動検出装置４０は、体動などを検出する外部体動検出部４１と、外部体動検出部４１からの検出結果を無線式リモコン２０へ出力する体動検出信号出力部４２を備え、無線式リモコン２０は、体動検出信号出力部４２から出力された検出結果を入力する体動検出信号入力部２８を備える。
【００２３】
図２は、本発明による実施例１の睡眠環境に関する検出データとそれを基にした各種制御信号の流れを示す説明図であり、実施例１は、睡眠段階の判定と、睡眠環境のパラメータである各検出データなどの入出力と、空調運転方法の決定を無線式リモコン２０側で行う場合を示している。
【００２４】
無線式リモコン２０は、体動検出部２７で検出した体動データａがリモコン制御部２９に入力されると、リモコン制御部２９は体動データａから睡眠段階を判定する睡眠段階判定手段５１によって、就寝者の睡眠段階をパラメータとした睡眠段階データｂを生成し、この睡眠段階データｂを後述する環境情報利用手段５２と空調制御手段５３へ出力する。
なお、リモコン制御部２９の睡眠段階判定手段５１による睡眠段階の判定方法については、例えば特許文献２に示される、体動の有無及び大きさの判定結果から覚醒及び睡眠状態の判定を行うなどの公知の技術を活用するものであり、この睡眠段階判定手段５１の処理詳細に関しては、本発明の特徴とするものではない。
【００２５】
リモコン制御部２９の環境情報利用手段５２は、本発明の特徴である無線式リモコン２０と室内機１０との間で双方向にデータ送受信が可能なことを活用し、睡眠環境のパラメータである睡眠段階データｂと、寝具内温度データｃと、寝具内湿度データｄと、室温データｅと、外気温データｆとを入力し、入力した睡眠環境のパラメータを利用者に通知すると共に、睡眠環境に応じた制御を実行する。
睡眠段階データｂを入力した環境情報利用手段５２は、寝具内温度検出部２２と寝具内湿度検出部２３から寝具内温度データｃ及び寝具内湿度データｄを入力すると共に、室内機１０の室温検出部１１から室内機制御部１４と、室内機無線通信部１２と、リモコン無線通信部２４とを介して室温データｅを入力し、室外機３０の外気温検出部３２から室外機制御部３３と、室外機通信部３１と、室内機通信部１３と、室内機制御部１４と、室内機無線通信部１２と、リモコン無線通信部２４とを介して外気温データｆを入力する。
【００２６】
睡眠環境の各パラメータを入力した環境情報利用手段５２は、各パラメータを表示部２５へ表示し、各パラメータが所定の条件に該当する場合には、就寝者の利用する寝具に対する指標などを表示部２５へ表示すると共に、音出力部２６から就寝者の覚醒を促す警告音を出力する制御を実行する。
なお、警告音は無線式リモコン２０の音出力部２６に限らず、室内機１０に備えられる図示しない音出力部から出力させても良い。
【００２７】
リモコン制御部２９の空調制御手段５３は、睡眠段階データｂを入力して空調運転方法を決定する処理を行う。ここで決定された空調運転方法、例えば、設定温度や風量、風向などはリモコン制御部２４と室内機無線通信部１２を介して室内機制御部１４へ指示される。
なお、空気調和機の就寝時空調運転の方法としては、例えば特許文献３に示される、レム睡眠とノンレム睡眠の時期とで異なる温度の制御を行うなどの公知の技術を活用するものであり、この空調制御手段の処理詳細に関しては、本発明の特徴とするものではない。
【００２８】
この実施例１の図２で説明した、睡眠段階の判定と、睡眠環境のパラメータである各検出データなどの入出力と、空調運転方法の決定を無線式リモコン２０側で行う空気調和機では、就寝時空調制御の機能を持たない無線式リモコンを備える従来の空気調和機に対して、無線式リモコン２０の変更のみで就寝時空調制御の機能を付加することができるため
、室内機を新たに開発する必要がない。
また、従来の空気調和機のユーザに対しても、この無線式リモコンを単体で販売し、就寝時空調制御の付加機能を提供することができる。
【００２９】
図３は、本発明による実施例２の睡眠環境に関する検出データとそれを基にした各種制御信号の流れを示す説明図であり、実施例２は、睡眠段階の判定と、睡眠環境のパラメータである各検出データなどの入出力と、空調運転方法の決定を室内機１０側で行う場合を示している。
【００３０】
室内機１０は、無線式リモコン２０の体動検出部２７で検出した体動データａが、リモコン制御部２９と、リモコン無線通信部と２４、室内機無線通信部１２を介して室内機制御部１４に入力されると、室内機制御部１４は体動データａから睡眠段階を判定する睡眠段階判定手段５１によって、就寝者の睡眠段階をパラメータとした睡眠段階データｂを生成し、この睡眠段階データｂを後述する環境情報利用手段５２と空調制御手段５３へ出力する。
なお、睡眠段階を判定する睡眠段階判定手段５１の処理詳細に関しては、実施例１と同様である。
【００３１】
室内機制御部１４の環境情報利用手段５２は、本発明の特徴である室内機１０と無線式リモコン２０との間で双方向にデータ送受信が可能なことを活用し、睡眠環境のパラメータを利用者に通知すると共に、睡眠環境に応じた制御を実行する。
睡眠段階データｂが入力された環境情報利用手段５２は、室温検出部１１から室温データｅを入力し、室外機３０の外気温検出部３２から室外機制御部３３と、室外機通信部３１と、室内機通信部１３とを介して外気温データｆを入力し、無線式リモコン２０の寝具内温度検出部２２と寝具内湿度検出部２３からリモコン制御部２９と、リモコン無線通信部２４と、室内機無線通信部１２とを介して寝具内温度データｃ及び寝具内湿度データｄをそれぞれ入力する。
【００３２】
睡眠環境の各パラメータを入力した環境情報利用手段５２は、室内機無線通信部１２と
、リモコン無線通信部２４と、リモコン制御部２９を介して無線式リモコン２０の表示部２５に各パラメータを表示させ、各パラメータが所定の条件に該当する場合には、同様に無線式リモコン２０の表示部２５に就寝者の利用する寝具に対する指標を表示させると共に、無線式リモコン２０の音出力部２６に就寝者の覚醒を促す警告音を出力させる制御を実行する。
なお、警告音はリモコン２０の音出力部２６に限らず、室内機１０に備えられる図示しない音出力部から出力しても良い。
【００３３】
室内機制御部１４の空調制御手段５３は、睡眠段階データｂを入力して空調運転方法を決定し空調運転を実行する。
なお、空調運転方法の決定に係わる処理詳細に関しては、実施例１と同様である。
【００３４】
この実施例２の図３で説明した、睡眠段階の判定と、睡眠環境のパラメータである各検出データなどの入出力と、空調運転方法の決定を室内機１０側で行う空気調和機の無線式リモコン２０は、実施例１の無線式リモコン２０と比較し消費電力を低減できることから
、リモコンの電池を長期間交換することなく使用出来る様になる。
また、実施例１と実施例２とで示した、体動検知の結果から正確に睡眠段階を判定し空調運転方法の決定を行うには、高性能なマイコンで処理されることが望ましいが、実施例２の空気調和機はこれらの処理を一般にリモコンよりも高性能なマイコンが搭載される室内機１０側で実行するため、マイコンの性能による問題を解消しやすくできると共に、無線式リモコン２０を安価に提供することができる。
【００３５】
実施例１と実施例２とに示した睡眠段階判定手段５１と環境情報利用手段５２と空調制御手段５３とは、リモコン制御部２９もしくは室内機制御部１４に備えられる図示しないマイコンやＣＰＵによってその機能を実現するものであり、図２と図３では各パラメータ入出力を中心とした空気調和機における各構成部の関係を説明した。
睡眠段階判定手段５１と環境情報利用手段５２と空調制御手段５３とは、リモコン制御部２９に備えられる場合と室内機制御部１４に備えられる場合とによって、各パラメータの入力元と出力先及び制御先に違いがあるが、その制御内容は両実施例とも共通である。
【００３６】
図４は、本発明の実施例１のリモコン制御部２９の処理を示すフローチャートである。なお、図４から図５に記載のＳＴはステップを表し、これに続く数字はステップ番号を
、また、ＹはＹｅｓをＮはＮｏをそれぞれ表している。
【００３７】
実施例１のリモコン制御部２９は、利用者のリモコン操作によりキー入力部２１から入力が行われたか否かを確認する（ＳＴ１）。キー入力部２１から入力が行われた場合（ＳＴ１−Ｙ）、利用者の入力が就寝時運転の開始を要求する就寝開始入力か否かを確認する（ＳＴ２）。入力が就寝開始入力の場合（ＳＴ２−Ｙ）、室内機１０へ就寝時運転の開始指示データを送信し、体動検出部２７による就寝者の体動検知を開始する（ＳＴ３）。そしてＳＴ１へジャンプする。
【００３８】
一方、ＳＴ２で、利用者のリモコン操作によりキー入力部２１から行われた入力が就寝開始入力では無い場合（ＳＴ２−Ｎ）、入力が就寝時運転の終了を要求する就寝終了入力か否かを確認する（ＳＴ４）。利用者の入力が就寝終了入力の場合（ＳＴ４−Ｙ）、室内機１０へ就寝時運転の終了指示データを送信し、体動検出部２７による就寝者の体動検知を終了する（ＳＴ５）。そしてＳＴ１へジャンプする。
また、ＳＴ４で、入力が就寝終了入力では無い場合（ＳＴ４−Ｎ）、例えば就寝時空調制御以外の温度や風量の調節などの設定操作の場合、入力内容に従い制御する（ＳＴ６）
。そしてＳＴ１へジャンプする。
【００３９】
リモコン制御部２９は、ＳＴ１で利用者のリモコン操作によりキー入力部２１から入力が行われていない場合（ＳＴ１−Ｎ）、体動検出部２７から就寝者の体動を検出したかもしくは、就寝時運転開始から所定時間が経過したか否かを確認する（ＳＴ７）。体動を未検出で、かつ、就寝時運転開始からも所定時間が経過していない場合（ＳＴ７−Ｎ）、ＳＴ１へジャンプする。
なお、所定時間とは周期的な一定間隔の時間、例えば３分などであり、体動の有無に係わらず定期的なパラメータ入力のために活用される時間である。
【００４０】
一方、ＳＴ７で、就寝者の体動を検出もしくは就寝時運転開始から所定時間が経過した場合（ＳＴ７−Ｙ）、体動データａを基に睡眠段階を判定する睡眠段階判定手段５１によって就寝者の睡眠段階をパラメータとした睡眠段階データｂを生成する（ＳＴ８）。
【００４１】
続いて、睡眠段階判定手段５１によって生成された睡眠段階データｂを基に空調制御手段５３によって空調運転方法を決定し、室内機１０へ空調運転の指示データを送信する（ＳＴ９）。
【００４２】
続いて、環境情報利用手段５２によってリモコン表示及び音出力の制御を実行する（ＳＴ１０）。そしてＳＴ１へジャンプする。
なお、ＳＴ１０の処理はサブルーチンとなっており、このサブルーチンの内容については、続く図６で詳細に説明する。
【００４３】
図５は、本発明の実施例１と実施例２で共通となる環境情報利用手段５２によるリモコン表示及び音出力制御のサブルーチン処理を示すフローチャートである。
この図５の共通となる環境情報利用手段５２は、実施例１では図４のリモコン制御部２９のＳＴ１０の処理を、実施例２では後述する図７の室内機制御部１４のＳＴ４５の処理をそれぞれ詳細に記している。
【００４４】
環境情報利用手段５２には、寝具内温度データｃ及び寝具内湿度データｄがリモコン室温検出部２２とリモコン湿度検出部２３から入力され、室温データｅが室温検出部１１から入力され、外気温データｆが外気温検出部３０から入力される。（ＳＴ１１）。睡眠環境のパラメータである睡眠段階データｂと、寝具内温度データｃと、寝具内湿度データｄと、室温データｅと、外気温データｆとを表示部２５に表示する（ＳＴ１２）。睡眠環境のパラメータの室温データｅと外気温データｆにおいて、就寝時の空調制御が行われている状態でも短時間で急激に室温が上昇した場合や、外気温とは無関係に設定温度以上の室温を検出した状態である「室温上昇の条件」に該当するか否かを確認する（ＳＴ１３）。
なお、「室温上昇の条件」の判定は、所定時間内の室温上昇幅やパラメータ入力時の室温データｅと、空調制御手段５３で決定した設定温度と、外気温データｆとの関係で判定することができ、例えば、室温データｅが１分間に５℃以上上昇した場合や、室温データｅが設定温度と外気温データｆとを超える値となった場合に該当と判定する方法がある。
【００４５】
ＳＴ１３で、睡眠環境のパラメータが「室温上昇の条件」に該当しない場合（ＳＴ１３−Ｎ）、睡眠環境のパラメータの室温データｅと外気温データｆにおいて、就寝時の空調制御が行われている状態でも、室温が外気温の影響を受けて睡眠環境に適する範囲に制御できない状態である「睡眠に不適当な室温の条件」に該当するか否かを確認する（ＳＴ１４）。
なお、「睡眠に不適当な室温の条件」の判定は、例えば、冷房運転時には空調制御手段５３で決定した設定温度よりも室温データｅが３℃以上高く、かつ外気温データｆが室温データｅ以上の場合に該当と判定し、暖房運転時には同設定温度よりも室温データｅが３℃以上低く、かつ外気温データｆが室温データｅ以下の場合に該当と判定する方法がある。
【００４６】
ＳＴ１４で、「睡眠に不適当な室温の条件」に該当しない場合（ＳＴ１４−Ｎ）、睡眠環境のパラメータの寝具内温度データｃと室温データｅにおいて、「寝具内温度が室温の影響を受けにくい条件」に該当するか否かを確認する（ＳＴ１５）。
なお、寝具内温度の室温による影響の条件判定は、室温データｅと寝具内温度データｃの変化がどの程度同期しているかによって判定することができ、例えば、就寝時空調制御が実行されている期間内において、室温データｅの上昇及び下降変化毎の温度差累計と、同期間内に発生した寝具内温度データｃの上昇及び下降変化毎の温度差累計との割合を寝具内温度変化の室温影響度指数として演算し、同指数が標準的な寝具内温度変化の影響度指数値として設定された、所定値未満の場合に影響を受けにくいと判定する方法がある。
【００４７】
ＳＴ１５で、「寝具内温度が室温の影響を受けにくい条件」に該当する場合（ＳＴ１５−Ｙ）、睡眠環境のパラメータが「寝具内温湿度が基準値よりも高い条件」に該当するか否かを確認する（ＳＴ１６）。
なお、寝具内温湿度の基準値との判定は、寝具内温度データｃと寝具内湿度データｄが
、おおよその成人に快適な寝具内温度とされる３３℃±１℃や、同寝具内湿度とされる４５％±５％の範囲に空調制御されているか否かの基準をもとに判定することができ、例えば、就寝時空調制御が実行されている期間内に周期的に入力される寝具内温度データｃと寝具内湿度データｄから、平均寝具内温度と平均寝具内湿度を演算し、平均寝具内温度が３４℃以上もしくは同平均寝具内湿度が５０％以上の場合に基準値よりも高いと判定する方法がある。
【００４８】
ＳＴ１６で、睡眠環境のパラメータが「寝具内温湿度が基準値よりも高い条件」に該当する場合（ＳＴ１６−Ｙ）、表示部２５に「通気性の高い寝具利用を推奨すること」を表示する（ＳＴ１７）。そして環境情報利用手段５２の処理を終了して元のルーチンに戻る
。
【００４９】
一方、ＳＴ１６で、睡眠環境のパラメータが「寝具内温湿度が基準値よりも高い条件」に該当しない場合（ＳＴ１６−Ｎ）、表示部２５に「快適な睡眠を得やすい寝具であること」を表示する（ＳＴ１９）。そして環境情報利用手段５２の処理を終了して元のルーチンに戻る。
【００５０】
環境情報利用手段５２は、ＳＴ１５で睡眠環境のパラメータが「寝具内温度が室温の影響を受けにくい条件」に該当しない場合（ＳＴ１５−Ｎ）、睡眠環境のパラメータが「寝具内温湿度が基準値よりも低い条件」に該当するか否かを確認する（ＳＴ２１）。
なお、寝具内温湿度の基準値との判定は、ＳＴ１６と同様の判定基準から、ＳＴ２１では平均寝具内温度が３２℃未満もしくは同平均寝具内湿度が４０％未満の場合に該当と判定する方法がある。
【００５１】
ＳＴ２１で、睡眠環境のパラメータが「寝具内温湿度が基準値よりも低い条件」に該当する場合（ＳＴ２１−Ｙ）、表示部２５に「保温保湿性の高い寝具利用を推奨すること」を表示する（ＳＴ２２）。そして環境情報利用手段５２の処理を終了して元のルーチンに戻る。
また、ＳＴ２１で、睡眠環境のパラメータが「寝具内温湿度が基準値よりも低い条件」に該当しない場合（ＳＴ２１−Ｎ）、ＳＴ１９にジャンプする。
【００５２】
一方、環境情報利用手段５２は、ＳＴ１３で睡眠環境のパラメータが「室温上昇の条件」に該当する場合（ＳＴ１３−Ｙ）、音出力部２６から警告音を出力し、表示部２５に「室温が異常上昇していること」を表示する（ＳＴ２３）。そして環境情報利用手段５２の処理を終了して元のルーチンに戻る。
【００５３】
一方、ＳＴ１４で、睡眠環境のパラメータが「睡眠に不適当な室温の条件」に該当する場合（ＳＴ１４−Ｙ）、音出力部２６から警告音を出力し、表示部２５に「外気の影響で適切な室温制御が行えない環境にあること」表示する（ＳＴ２４）。そして環境情報利用手段５２の処理を終了して元のルーチンに戻る。
【００５４】
図５で説明した環境情報利用手段５２は、無線式リモコン２０と室内機１０との間で双方向にデータ送受信が可能なことを活用することにより、利用者へ睡眠状態や睡眠環境に関する情報をリアルタイムに提供することができ、就寝者本人以外にも、高齢者を介護する人や、乳児の保育などに係わる第三者が、就寝者の睡眠段階に応じて起床を促すことや
、起床後に行う活動を調整するなどの健康管理にも活用することができる。
【００５５】
また、就寝者が快適な睡眠を得るための課題が寝具にあるか否かを明確に認識することができ、利用者の寝具変更による睡眠環境の改善を促進することができる。
【００５６】
また、利用者の家屋で火災が発生した場合や、寝室の窓の締め忘れなどで睡眠環境が悪化している場合を想定し、就寝時空調制御の安全性を向上させている。
これは、睡眠中の人は活動中の人と比べて極めて無防備であり、このようなケースで通常の就寝時制御を継続することは、利用者の対処行動を遅延させる要因となることから好ましくないためであり、警告音の出力でいち早く就寝者を覚醒させるとともに、警告要因となる情報の表示により速やかに利用者を環境点検や対処行動に導くことを可能としている。
【００５７】
図６は、本発明の実施例１の室内機制御部１４の処理を示すフローチャートである。
なお、実施例１の室内機制御部１４の処理開始は、無線式リモコン２０から就寝時運転の開始指示データを受信したことを開始条件としている。
室内機制御部１４は、無線式リモコン２０から受信したデータが有るか無いかを確認する（ＳＴ３１）。受信したデータが有る場合（ＳＴ３１−Ｙ）、受信したデータが室温データｅと外気温データｆの入力指示データか否かを確認する（ＳＴ３２）。受信したデータが室温データｅと外気温データｆの入力指示データの場合（ＳＴ３２−Ｙ）、室温検出部１１から室温データｅを入力し、室外機３０の外気温検出部３２から外気温データｆを入力し、室内機無線通信部１２を介して無線式リモコン２０へ両データを送信する（ＳＴ３３）。そしてＳＴ３１へジャンプする。
【００５８】
ＳＴ３２で、受信したデータが室温データｅと外気温データｆの入力指示データでは無い場合（ＳＴ３２−Ｎ）、受信したデータが就寝時運転の終了指示データか否かを確認する（ＳＴ３４）。受信したデータが就寝時運転の終了指示データでは無い場合（ＳＴ３４−Ｎ）、受信したデータが例えば、空調運転方法の指示データなどのため、データ内容に従い制御を実行する。（ＳＴ３５）。そしてＳＴ３１へジャンプする。
【００５９】
一方、ＳＴ３１で無線式リモコン２０から受信したデータが無い場合（ＳＴ３１−Ｎ）
、ＳＴ３１にジャンプする。
また、ＳＴ３４で受信したデータが就寝時運転の終了指示データの場合（ＳＴ３４−Ｙ）、就寝時の制御を終了する。
【００６０】
図７は、本発明の実施例２の室内機制御部１４の処理を示すフローチャートである。
なお、実施例２の室内機制御部１４の処理開始は、無線式リモコン２０から就寝時運転の開始指示データを受信したことを開始条件としている。
室内機制御部１４は、無線式リモコン２０から就寝時運転の終了指示データを受信しているか否かを確認する（ＳＴ４１）。就寝時運転の終了指示データを受信していない場合（ＳＴ４１−Ｎ）、無線式リモコン２０から体動データａを受信しているか否かを確認する（ＳＴ４２）。
【００６１】
ＳＴ４２で、無線式リモコン２０から体動データａを受信している場合（ＳＴ４２−Ｙ）、体動データａを基に睡眠段階を判定する睡眠段階判定手段５１によって就寝者の睡眠段階をパラメータとした睡眠段階データｂを生成する（ＳＴ４３）。
【００６２】
続いて、睡眠段階判定手段５１によって生成された睡眠段階データｂを基に空調制御手段５３によって空調運転方法を決定し、空調制御を実行する（ＳＴ４４）。
【００６３】
続いて、環境情報利用手段５２によってリモコン表示及び音出力の制御を実行する（ＳＴ４５）。そしてＳＴ４１へジャンプする。
なお、ＳＴ４５の処理はサブルーチンとなっており、このサブルーチンの内容については図５で説明した実施例１と共通の処理となる。
【００６４】
一方、ＳＴ４２で、無線式リモコン２０から体動データａを受信していない場合（ＳＴ４２−Ｎ）、就寝時運転開始から所定時間が経過したか否かを確認する（ＳＴ４６）。就寝時運転開始から所定時間が経過した場合（ＳＴ４６−Ｙ）、ＳＴ４３へジャンプする。
また、ＳＴ４６で、就寝時運転開始から所定時間が経過していない場合（ＳＴ４６−Ｎ）、ＳＴ４１へジャンプする。
なお、所定時間とは図４の実施例１で説明した時間と同様である。
一方、ＳＴ４１で無線式リモコン２０から就寝時運転の終了指示データを受信した場合（ＳＴ４１−Ｙ）、就寝時の制御を終了する。
【００６５】
図８は、本発明の実施例２のリモコン制御部２９の処理を示すフローチャートである。
実施例２のリモコン制御部２９は、利用者のリモコン操作によりキー入力部２１から入力が行われたか否かを確認する（ＳＴ５１）。キー入力部２１から入力が行われた場合（ＳＴ５１−Ｙ）、利用者の入力が就寝時運転の開始を要求する就寝開始入力か否かを確認する（ＳＴ５２）。入力が就寝開始入力の場合（ＳＴ５２−Ｙ）、室内機１０へ就寝時運転の開始指示データを送信し、体動検出部２７による就寝者の体動検知を開始する（ＳＴ５３）。そしてＳＴ５１へジャンプする。
【００６６】
一方、ＳＴ５２で、利用者のリモコン操作によりキー入力部２１から行われた入力が就寝開始入力では無い場合（ＳＴ５２−Ｎ）、利用者の入力が就寝時運転の終了を要求する就寝終了入力か否かを確認する（ＳＴ５４）。入力が就寝終了入力の場合（ＳＴ５４−Ｙ）、室内機１０へ就寝時運転の終了指示データを送信し、体動検出部２７による就寝者の体動検知を終了する（ＳＴ５５）。そしてＳＴ５１へジャンプする。
また、ＳＴ５４で、入力が就寝終了入力では無い場合（ＳＴ５４−Ｎ）、例えば就寝時空調制御以外の温度や風量の調節などの設定操作のため、入力内容に従い制御する（ＳＴ５６）。そしてＳＴ５１へジャンプする。
【００６７】
リモコン制御部２９は、ＳＴ５１で利用者のリモコン操作によりキー入力部２１から入力が行われていない場合（ＳＴ５１−Ｎ）、体動検出部２７から就寝者の体動を検出したか否かを確認する（ＳＴ５７）。就寝者の体動を検出した場合（ＳＴ５７−Ｙ）、室内機１０へ検出した体動データａを送信する（ＳＴ５８）。そしてＳＴ５１へジャンプする。
【００６８】
リモコン制御部２９は、ＳＴ５７で体動検出部２７から就寝者の体動を検出していない場合（ＳＴ５７−Ｎ）、室内機１０からの受信データが有るか否かを確認する（ＳＴ５９）。受信データが有る場合（ＳＴ５９−Ｙ）、受信したデータが寝具内温度データｃと寝具内湿度データｄの入力指示データであるか否かを確認する（ＳＴ６０）。受信したデータが寝具内温度データｃと寝具内湿度データｄの入力指示データの場合（ＳＴ６０−Ｙ）、寝具内温度検出部２２から寝具内温度データｃと、寝具内湿度検出部２３から寝具内湿度データｄを入力し、リモコン無線通信部２４を介して室内機１０へ両データを送信する。（ＳＴ６１）。そしてＳＴ５１へジャンプする。
【００６９】
一方、ＳＴ６０で、受信したデータが寝具内温度データｃと寝具内湿度データｄの入力指示データでは無い場合（ＳＴ６０−Ｎ）、受信したデータ、例えば、睡眠段階や睡眠環境に関する情報の表示指示データや、就寝者への覚醒指示データなどのためデータ内容に従い制御を実行する。（ＳＴ６２）。そしてＳＴ５１へジャンプする。
また、ＳＴ５９で、室内機１０からの受信データが無い場合（ＳＴ５９−Ｎ）、ＳＴ５１へジャンプする。
【符号の説明】
【００７０】
１０  室外機
１１  室温検出部
１２  室内機無線通信部
１３  室内機通信部
１４  室内機制御部
２０  無線式リモコン
２１  キー入力部
２２  寝具内温度検出部
２３  寝具内湿度検出部
２４  リモコン無線通信部
２５  表示部
２６  音出力部
２７  体動検出部
２８  体動検出信号入力部
２９  リモコン制御部
３０  室外機
３１  室外機通信部
３２  外気温検出部
３３  室外機制御部
４０  外部体動検出装置
４１  外部体動検出部
４２  体動検出信号出力部
５１  睡眠段階判定手段
５２  環境情報利用手段
５３  空調制御手段
【図１】
2013160473.tif 000003
【図２】
2013160473.tif 000004
【図３】
2013160473.tif 000005
【図４】
2013160473.tif 000006
【図５】
2013160473.tif 000007
【図６】
2013160473.tif 000008
【図７】
2013160473.tif 000009
【図８】
2013160473.tif 000010